(57)【要約】【課題】▲１▼目視により注意をしなくてもシャッタの全開・全閉操作が外部から容易にでき、▲２▼シャッタ全開における通風開口面積が大きい換気用レジスタを提供すること。【解決手段】前面板から前方に突出する操作部３にピニオンギヤー４が連設され、前面板とフランジ部２１との間に一対のシャッター板５，５を設けてあると共にこれらシャッター板５，５にはそれぞれ上記ピニオンギヤー４と歯合するラック５０，５０を設けてあり、操作部３の正逆回動によりピニオンギヤー４及びラック５０，５０を介して一対のシャッター板５，５相互が接近・離反するようになっている。【選択図】  図２
2005016834.tif 000002
【特許請求の範囲】
【請求項１】
大部分が通風可能である前面板と、前記前面板に取り付けられるフランジ部を有した通風筒とから成る換気用レジスタであって、前面板から前方に突出する操作部にピニオンギヤーが連設され、前面板とフランジ部との間に一対のシャッター板を設けてあると共にこれらシャッター板にはそれぞれ上記ピニオンギヤーと歯合するラックを設けてあり、操作部の正逆回動によりピニオンギヤー及びラックを介して一対のシャッター板相互が接近・離反するようになっていることを特徴とする換気用レジスタ。
【請求項２】
ピニオンギヤーは、一対のシャッター板に設けられたラックにより挟み込まれるようにして歯合されていることを特徴とする請求項１記載の換気用レジスタ。
【請求項３】
一対のシャッター板が全開位置にあるときには、通風筒のほぼ全域が通風可能な状態となっていることを特徴とする請求項１又は２記載の換気用レジスタ。
【請求項４】
前面板は、枠部と、前記枠部内に設けられたフィンとから構成されていることを特徴とする請求項１乃至３のいずれかに記載の換気用レジスタ。
【発明の詳細な説明】
【０００１】
【発明の属する技術分野】
この発明は、換気用レジスタに関するものである。
【０００２】
【従来の技術】
換気用レジスタとしては、例えば、小窓が所定の角度間隔で設けられた本体板と、前記本体に対して操作部により回動可能に取付られ且つ前記角度間隔で小窓を設けられたシャッター板と、前記本体板が止着されるフランジ部を有する通風筒とから成るものがある。
【０００３】
このものでは、不使用時には前記本体板の小窓とシャッター板の小窓が正面視で一致しないようにし、使用時（換気時）には前記本体板の小窓とシャッター板の小窓が正面視で一致させるようにする（例えば、特許文献１参照。）。
【０００４】
【特許文献１】
登録実用新案第３０３７３７５号公報（図４，図６参照）
【０００５】
【発明が解決しようとする課題】
ところが、この換気用レジスタでは、外部操作で換気状態にできるものの、シャッタ全開・全閉操作は目視により注意しながら本体板の小窓とシャッター板の小窓の関係を確認しなければならず、また、その構成上シャッタ全開における通風開口面積が小さくなってしまうという問題があった。
【０００６】
したがって、換気用レジスタを取り扱う業者や使用者の間では、▲１▼目視により注意をしなくてもシャッタの全開・全閉操作が外部から容易にでき、▲２▼シャッタ全開における通風開口面積が大きい換気用レジスタが開発されるのを待ち望んでいる。
【０００７】
そこで、この発明では、▲１▼目視により注意をしなくてもシャッタの全開・全閉操作が外部から容易にでき、▲２▼シャッタ全開における通風開口面積が大きい換気用レジスタを提供することを課題とする。
【０００８】
【課題を解決するための手段】
（請求項１記載の発明）
この発明の換気用レジスタは、大部分が通風可能である前面板と、前記前面板に取り付けられるフランジ部を有した通風筒とから成る換気用レジスタであって、前面板から前方に突出する操作部にピニオンギヤーが連設され、前面板とフランジ部との間に一対のシャッター板を設けてあると共にこれらシャッター板にはそれぞれ上記ピニオンギヤーと歯合するラックを設けてあり、操作部の正逆回動によりピニオンギヤー及びラックを介して一対のシャッター板相互が接近・離反するようになっている。
（請求項２記載の発明）
この発明の換気用レジスタは、請求項１記載の発明に関し、ピニオンギヤーは、一対のシャッター板に設けられたラックにより挟み込まれるようにして歯合されている。
（請求項３記載の発明）
この発明の換気用レジスタは、請求項１又は２記載の発明に関し、一対のシャッター板が全開位置にあるときには、通風筒のほぼ全域が通風可能な状態となっている。
（請求項４記載の発明）
この発明の換気用レジスタは、請求項１乃至３記載の発明に関し、前面板は、枠部と、前記枠部内に設けられたフィンとから構成されている。
【０００９】
なお、上記発明の換気用レジスタの作用・効果については以下の発明の実施の形態の欄で説明する。
【００１０】
【発明の実施の形態】
以下、この発明を実施形態として示した図面に従って説明する。
〔実施形態１〕
図１はこの発明の実施形態の換気用レジスタＲの正面図、図２は前記換気用レジスタＲのフランジ付き筒体２にピニオンギヤー４，シャッター板５，５を取り付けた状態を示す正面図、図３は図１のＸ−Ｘ断面図を示している。
（この換気用レジスタＲの基本的構成について）
この換気用レジスタＲは、図１〜図３に示すように、大部分が通風可能である前面板１と、前記前面板１に取り付けられるフランジ付き筒体２とから成り、前面板１から前方に突出する操作部３にピニオンギヤー４が連設され、前面板１とフランジ付き筒体２のフランジ部２１との間に一対のシャッター板５，５を設けると共にこれらシャッター板５，５にそれぞれ上記ピニオンギヤー４と歯合するラック５０を設け、操作部３の正逆回動によりピニオンギヤー４及びラック５０を介して一対のシャッター板５，５相互が接近・離反するものとしている。
【００１１】
以下に、この換気用レジスタＲの主要構成部について説明する。
（前面板１の構成について）
前面板１は、図１や図３に示すように、正面視正方形状の浅い皿状に形成されており、枠体１０と、前記枠体１０内において左右方向に延びるフィン１１と、枠体１０内において上下方向に延びる中桟１２と、枠体１０の中央部に配置された挿通孔１３と、フランジ付き筒体２と一体化した状態を維持する突起１４を具備するものとしてある。ここで、この前面板１では図１や図３に示すように、フィン１１が設けられる面積を大きくしてあり、これにより前面板１の大部分を通風可能としてある。
（フランジ付き筒体２の構成について）
フランジ付き筒体２は、図２や図３に示すように、円筒状の通風筒２０の一端側に、前面板１の裏側へ止着されるフランジ部２１を設けて構成されている。
【００１２】
フランジ部２１には、図２や図３に示すように、シャッター板５，５が嵌め込まれ一定の範囲（図２の二点鎖線の位置から実線の位置までの範囲）だけ接近・離反すべく移動できるような浅い凹み部２４を設けてあると共に、シャッター板５，５の凹み部２４からの抜けを防止し且つ前記移動をする際に所定に案内するガイド２３を設けてある。
【００１３】
また、このフランジ付き筒体２の前面部には、図２や図３に示すように、シャッター板５，５に設けられた後述する各ラック５０を案内するための４本の横ガイド２２及び１本の縦ガイド２７を設けてある。
【００１４】
更に、このフランジ付き筒体２には、図２や図４に示すように、シャッター板５，５の外側への移動をラック５０の端部５０ａとの当りによって規制する外側ストッパ２５、及びシャッター板５，５の内側への移動をシャッター板５の内側縁との当りによって規制する内側ストッパ２６とを具備させてある。
（操作部３とピニオンギヤー４との構成について）
操作部３とピニオンギヤー４とは、図３に示すように、挿通孔１３を介して連結されており、両者は止めネジ７で相対回動不能に一体化されている。
【００１５】
操作部３は、図３に示す取り付け状態において、前面板１から少し突出した状態になっており、操作者はこの突出した部分を摘んで正逆回動する。
【００１６】
ピニオンギヤー４は、図３に示すように、ギヤー部４０の一端面側に鍔部４１を設けてなるもので、同図に示す如く組付けられた状態では、ラック５０は前記鍔部４１により縦ガイド２７に押し付けた状態で、横ガイド２２，２２で案内されて移動するようになっている。
（シャッター板５の構成について）
シャッター板５は、図５に示すように、薄板状のものであり、その内側縁近傍にラック５０を具備させたものとしてある。
【００１７】
ここで、このシャッター板５，５は、図６や図７に示すように、ピニオンギヤー４の回動中心から同じ距離離れた位置で、ラック５０をピニオンギヤー４に歯合させてある。したがって、操作部３の正逆回動によりピニオンギヤー４を介して左右のシャッター板５，５は接近・離反することとなるが、接近時及び離反時のいずれにおいても左右のシャッター板５，５とピニオンギヤー４の中心までの距離Ｌは等しくなっている。
【００１８】
また、ラック５０の上下面には、図４や図５に示すように、基端部付近にリブ５１，５１を設けてあり、このリブ５１，５１を図３に示す如く横ガイド２２，２２に当接させることにより前後方向のガタつきを防止するようにしてある。
（フィルタ６の構成について）
フィルタ６は、樹脂繊維を板状にして成るものであり、図３に示すように、前面板１の後面部とフランジ付き筒体２の前面部との間に設けられている。
（この換気用レジスタＲの優れた作用・効果について）
▲１▼．この換気用レジスタＲでは、前面板１から突出する操作部３を摘んで例えば正回動させていくと、シャッター板５，５は開く（離反する）一方であり、操作部３を摘んで逆回動させていくと、シャッター板５，５は閉じる（接近）一方である。つまり、従来の技術に記載したもののように、目視により注意をしながら操作部を回動調整する必要はない。また、上述した如く前面板１から突出する操作部３を摘んで正逆回動させるだけである。
【００１９】
したがって、この換気用レジスタＲでは、目視により注意をしなくてもシャッタの全開・全閉操作が外部から容易にできる。
▲２▼．前面板１の大部分は通風可能であり、且つシャッター板５，５の全開時にはこれら相互間の開口面積は通風筒２０とほぼ同じ開口面積となることから、従来の技術のものと比較すると、通風開口面積は格段に大きくなる。
▲３▼．シャッター板５，５の外側への移動をラック５０の端部との当りによって規制する外側ストッパ２５が設けられ、更にシャッター板５，５の内側への移動をシャッター板５の内側縁との当りによって規制する内側ストッパ２６が設けられているから、操作部３の正回動又は逆回動ができなくなることで、シャッター板５０，５０の全開・全閉がわかる。
〔他の実施形態〕
上記実施形態の換気用レジスタＲは、図１〜図３に示すように、大部分が通風可能である前面板１と、前記前面板１に取り付けられるフランジ付き筒体２とから成り、前面板１から前方に突出する操作部３にピニオンギヤー４が連設され、前面板１とフランジ付き筒体２のフランジ部２１との間に一対のシャッター板５，５を設けると共にこれらシャッター板５，５にそれぞれ上記ピニオンギヤー４と歯合するラック５０を設け、操作部３の正逆回動によりピニオンギヤー４及びラック５０を介して一対のシャッター板５，５相互が接近・離反するものとしているが、シャッター板５，５の開閉機構としては以下の通りであればよい。
【００２０】
すなわち、シャッター板５，５の開閉機構は、操作部３に連設されたピニオンギヤー４にシャッター板５，５のラック５０，５０を歯合させ、操作部３の正逆回動によりシャッター板５，５相互が接近・離反させる構造であればよい（図６及び図７参照）。
【００２１】
【発明の効果】
この発明は上記のような構成であるから次の効果を有する。
【００２２】
発明の実施の形態の欄の内容から明らかなように、▲１▼目視により注意をしなくてもシャッタの全開・全閉操作が外部から容易にでき、▲２▼シャッタ全開における通風開口面積が大きい換気用レジスタを提供できた。
【図面の簡単な説明】
【図１】この発明の実施形態の換気用レジスタの正面図。
【図２】前記換気用レジスタのフランジ付き筒体にピニオンギヤー，シャッター板を取り付けた状態を示す正面図。
【図３】図１のＸ−Ｘ断面図。
【図４】前記換気用レジスタの背面図。
【図５】前記換気用レジスタを構成するシャッター板の斜視図。
【図６】ピニオンギヤーの回動によりシャッター板相互が大きく離反（開）している正面図。
【図７】ピニオンギヤーの回動によりシャッター板相互が接近（閉）している正面図。
【符号の説明】
１        前面板
２        フランジ付き筒体
３        操作部
４        ピニオンギヤー
５        シャッター板
６        フィルタ
２０      通風筒
２１      フランジ部
【図１】
2005016834.tif 000003
【図２】
2005016834.tif 000004
【図３】
2005016834.tif 000005
【図４】
2005016834.tif 000006
【図５】
2005016834.tif 000007
【図６】
2005016834.tif 000008
【図７】
2005016834.tif 000009